(57)【要約】  【課題】粉砕機17の吐出口部19から吐出する粉砕氷をカップＣ内に確実に投入できる粉砕氷供給装置11を提供する。  【解決手段】粉砕機17の吐出口部19をカップＣ内の所定の進入深度まで進入させた状態で、粉砕機17の吐出口部19から粉砕氷を吐出させることにより、粉砕氷をカップＣに確実に投入できる。粉砕機17の吐出口部19からの粉砕氷の吐出中に、粉砕氷の吐出量に応じて粉砕機17の吐出口部19の進入深度を浅くし、カップＣ内への粉砕氷の投入による飲料Ｗの液面の上昇に応じて粉砕機17の吐出口部19を逃がす。  【選択図】図１
2005276130.tif 000002
【特許請求の範囲】
【請求項１】
氷を粉砕するとともに粉砕した粉砕氷を吐出口部から吐出させる粉砕機と、
この粉砕機の吐出口部から吐出する粉砕氷が投入されるカップを支持するカップ支持部と、
前記粉砕機の吐出口部およびカップ支持部の少なくとも一方を他方に対して相対的に移動させて吐出口部をカップ内に進退させる移動機構と、
この移動機構により前記粉砕機の吐出口部をカップ内の所定の進入深度まで相対的に進入させた状態で粉砕機の吐出口部から粉砕氷を吐出させる制御部と
を具備していることを特徴とする粉砕氷供給装置。
【請求項２】
制御部は、移動機構により粉砕機の吐出口部をカップ内の所定の進入深度まで相対的に進入させた状態で粉砕機の吐出口部から粉砕氷を吐出させるとともに、粉砕氷の吐出中に粉砕氷の吐出量に応じて粉砕機の吐出口部の進入深度を浅くさせることを特徴とする請求項１記載の粉砕氷供給装置。
【請求項３】
制御部は、粉砕氷を投入するカップの大きさに応じて粉砕機の吐出口部の進入深度を可変させることを特徴とする請求項１または２記載の粉砕氷供給装置。
【発明の詳細な説明】
【技術分野】
【０００１】
本発明は、カップ内に粉砕氷を供給する粉砕氷供給装置に関する。
【背景技術】
【０００２】
従来、カップ内に飲料を調合して販売するカップ式飲料自動販売機では、例えば、冷飲料の販売時に、カップ内に粉末または濃縮液の飲料原料を供給するとともに冷水などを供給し、カップ内で飲料を調合し、さらに、製氷機で製氷された氷を粉砕機によって飲用可能な程度まで細かく砕いた粉砕氷をカップ内に投入し、例えばシャーベット風飲料のような感覚の飲料を提供している（例えば、特許文献１参照。）。
【０００３】
粉砕機は、水平方向に回転するカッタによって製氷機から送られてくる氷を飲用可能な程度まで細かく砕き、その粉砕氷を粉砕機の下部の吐出口部からカップに投入している。そして、粉砕機の吐出口部は、カップを移動させながら飲料調合するカップ式飲料自動販売機においてはそのカップの移動を許容するために、また、カップを取出口に供給配置して飲料調合するカップ式飲料自動販売機においてはカップの供給および取り出しを可能とするために、カップより上方に離れた位置に設置され、その位置から粉砕氷を吐出している。
【特許文献１】特開２００３−３０３３７１号公報（第２−３頁、図１）
【発明の開示】
【発明が解決しようとする課題】
【０００４】
ところで、粉砕機では水平方向に回転するカッタによって氷を粉砕するので、カッタの回転とともに粉砕氷の一部が水平方向の周囲に飛び散りやすい。
【０００５】
従来の粉砕機では、カップの上方に離れた位置に配置される吐出口部から粉砕氷を吐出しているので、粉砕機の吐出口部から吐出する粉砕氷の一部がカップに入らず周囲に飛び散る問題がある。
【０００６】
本発明は、このような点に鑑みなされたもので、粉砕機の吐出口部から吐出する粉砕氷がカップに入らずに周囲に飛び散るのを防止できる粉砕氷供給装置を提供することを目的とする。
【課題を解決するための手段】
【０００７】
請求項１記載の粉砕氷供給装置は、氷を粉砕するとともに粉砕した粉砕氷を吐出口部から吐出させる粉砕機と、この粉砕機の吐出口部から吐出する粉砕氷が投入されるカップを支持するカップ支持部と、前記粉砕機の吐出口部およびカップ支持部の少なくとも一方を他方に対して相対的に移動させて吐出口部をカップ内に進退させる移動機構と、この移動機構により前記粉砕機の吐出口部をカップ内の所定の進入深度まで相対的に進入させた状態で粉砕機の吐出口部から粉砕氷を吐出させる制御部とを具備しているものである。
【０００８】
そして、粉砕機の吐出口部をカップ内の所定の進入深度まで相対的に進入させた状態で粉砕機の吐出口部から粉砕氷を吐出させるので、吐出する粉砕氷がカップに入らずに周囲に飛び散るのを防止する。
【０００９】
請求項２記載の粉砕氷供給装置は、請求項１記載の粉砕氷供給装置において、制御部は、移動機構により粉砕機の吐出口部をカップ内の所定の進入深度まで相対的に進入させた状態で粉砕機の吐出口部から粉砕氷を吐出させるとともに、粉砕氷の吐出中に粉砕氷の吐出量に応じて粉砕機の吐出口部の進入深度を浅くさせるものである。
【００１０】
そして、粉砕機の吐出口部をカップ内の所定の進入深度まで相対的に進入させた状態で粉砕機の吐出口部から粉砕氷を吐出させるとともに、粉砕氷の吐出中に粉砕氷の吐出量に応じて粉砕機の吐出口部の進入深度を浅くするので、カップ内への粉砕氷の投入による飲料の液面の上昇に応じて粉砕機の吐出口部を逃がし、粉砕機の吐出口部が飲料の液面に接するのを防止する。
【００１１】
請求項３記載の粉砕氷供給装置は、請求項１または２記載の粉砕氷供給装置において、制御部は、粉砕氷を投入するカップの大きさに応じて粉砕機の吐出口部の進入深度を可変させるものである。
【００１２】
そして、粉砕氷を投入するカップの大きさに応じて粉砕機の吐出口部の進入深度を可変させるので、カップの大きさに最適な粉砕機の吐出口部の進入深度を設定する。
【発明の効果】
【００１３】
請求項１記載の粉砕氷供給装置によれば、粉砕機の吐出口部をカップ内の所定の進入深度まで相対的に進入させた状態で粉砕機の吐出口部から粉砕氷を吐出させるので、吐出する粉砕氷がカップに入らずに周囲に飛び散るのを防止できる。
【００１４】
請求項２記載の粉砕氷供給装置によれば、請求項１記載の粉砕氷供給装置の効果に加えて、粉砕機の吐出口部をカップ内の所定の進入深度まで相対的に進入させた状態で粉砕機の吐出口部から粉砕氷を吐出させるとともに、粉砕氷の吐出中に粉砕氷の吐出量に応じて粉砕機の吐出口部の進入深度を浅くするので、カップ内への粉砕氷の投入による飲料の液面の上昇に応じて粉砕機の吐出口部を逃がし、粉砕機の吐出口部が飲料の液面に接するのを防止できる。
【００１５】
請求項３記載の粉砕氷供給装置によれば、請求項１または２記載の粉砕氷供給装置の効果に加えて、粉砕氷を投入するカップの大きさに応じて粉砕機の吐出口部の進入深度を可変させるので、カップの大きさに最適な粉砕機の吐出口部の進入深度を設定できる。
【発明を実施するための最良の形態】
【００１６】
以下、本発明の一実施の形態を図面を参照して説明する。
【００１７】
カップ内に飲料を調合して販売するカップ式飲料自動販売機は、飲料入りカップを取り出す取出口を有する機体を有し、この機体内に、カップを供給するカップ供給装置、飲料の原料をカップ内に供給する原料供給装置、湯、冷水および炭酸水などの希釈液をカップ内に供給する希釈液供給装置、粉砕氷をカップ内に供給する粉砕氷供給装置、カップ供給装置からカップを受け取って原料、希釈液および粉砕氷が供給される各供給位置に搬送するとともに飲料が調合されたカップを取出口に搬送するカップ搬送装置などが配設されている。
【００１８】
そして、図３に粉砕氷供給装置11の構成図を示し、この粉砕氷供給装置11は、製氷機12を有し、この製氷機12には水道水などの水源に接続された水サーバ13を通じて給水され、冷却ユニット14による冷却によって製氷機12の内側に氷の膜が着氷される。製氷機12の内側には螺旋状の回転刃が配置され、この回転刃を製氷機モータ15によって回転させることにより、製氷機12の内側に着氷した氷を削り出す。そして、粉砕氷供給時には、製氷機12内から氷を吐出し、この氷の吐出量を計量部16によって計量し、所定量の氷を供給する。
【００１９】
製氷機12から供給する氷は粉砕機17に送り込まれる。この粉砕機17は、製氷機12から供給される氷を上部から受け入れる円筒状の粉砕容器18を有し、この粉砕容器18内に水平方向に回転して氷を細かく砕く図示しないカッタが配設され、粉砕容器18の下部にはカッタによって粉砕された粉砕氷をカップＣに吐出する吐出口部19が設けられている。
【００２０】
また、カップＣを搬送するカップ搬送装置21は、カップＣを支持するカップ支持部22、およびこのカップ支持部22を機体内の水平方向の任意の位置に移動させる移動部23を有している。カップ支持部22は、カップＣを載せる台部24、カップＣを両側から開閉可能に保持するカップホルダ25を有し、移動部23に内蔵された移動機構26によって上下方向に移動される。
【００２１】
また、図４に粉砕氷供給装置11のブロック図を示し、制御部31を備え、この制御部31によって製氷機12、粉砕機17、カップ搬送装置21の移動機構26を制御する。すなわち、制御部31は、粉砕氷供給時に、移動機構26によりカップＣを上昇させ、吐出口部19をカップＣ内の所定（初期）の進入深度まで進入させた状態で吐出口部19から粉砕氷を吐出させるとともに、粉砕氷の吐出中に粉砕氷の吐出量に応じて吐出口部19の進入深度を浅くさせる機能を有している。さらに、図１に示すように、吐出口部19の進入深度の寸法Ｈは、カップＣの大きさに応じて可変させる機能を有し、例えば、小形のカップＣにおける進入深度の寸法Ｈは１０ｍｍ、この小形のカップＣより大口径で高さがある大形のカップＣにおける進入深度の寸法Ｈは３０ｍｍとする。そして、粉砕氷供給装置11は、カップ搬送装置21の移動機構26などの構成を粉砕氷供給動作のために兼用している。
【００２２】
また、図５に原料供給装置40の構成図を示し、粉末の原料を収納する原料収納部41から所定量の原料が保留筒42に吐出され、保留筒42の下部を開閉可能に閉塞するシャッタ43上に保留される。カップ搬送装置21のカップ支持部22を上昇させることにより、シャッタ43を開いて原料をカップＣに受け入れることができる。このとき、保留筒とカップとが接近するので、原料が飛散するのを防止できる。
【００２３】
したがって、粉砕氷供給装置11は、原料供給装置40からカップＣ内に原料を受け入れるためにカップＣを上下方向に移動させるカップ搬送装置21の移動機構26などの構成を粉砕氷供給動作のために兼用している。
【００２４】
次に、本実施の形態の動作について説明する。
【００２５】
利用者により貨幣が投入され、飲料種類が選択されることにより、まず、カップ供給装置から供給されるカップをカップ搬送装置21のカップ支持部22に受け取り、このカップ搬送装置21の移動部23によってカップ支持部22を適宜移動させながら、原料供給装置40から供給される粉末原料をカップＣに受け入れるか、別の原料供給装置から供給される濃縮原料液を受け入れ、湯、冷水および炭酸水などの希釈液をカップＣに受け入れ、必要に応じてカップＣ内に攪拌具を入れて攪拌し、飲料を調合する。冷飲料の場合には、冷水をカップＣに受け入れて飲料調合した後に、粉砕氷供給装置11から供給される粉砕氷を受け入れる。飲料を調合したカップＣを機体の取出口に搬送し、利用者が飲料入りのカップＣを取り出す。
【００２６】
そして、粉砕氷供給装置11からの粉砕氷供給時には、図１に示すように、カップ搬送装置21の移動機構26によりカップ支持部22とともにカップＣを上昇させ、粉砕機17の吐出口部19をカップＣの大きさに対応した所定の進入深度の寸法Ｈまで進入させる。
【００２７】
製氷機12から氷を吐出させ、計量部16による計量で所定量の氷を粉砕機17に送り込み、この粉砕機17で粉砕氷を細かく砕いて吐出口部19からカップＣに吐出する。このとき、粉砕機17では水平方向に回転するカッタによって氷を粉砕するので、カッタの回転とともに粉砕氷の一部が水平方向の周囲に飛び散りやすいが、粉砕機17の吐出口部19がカップＣ内に進入しているので、粉砕氷がカップＣに入らずに飛び散ることなく確実にカップＣ内に投入される。
【００２８】
粉砕機17の吐出口部19から粉砕氷をカップＣに吐出している過程で、図２に示すように、粉砕氷の吐出量に応じて吐出口部19の進入深度を浅くするように、カップ搬送装置21の移動機構26によりカップ支持部22とともにカップＣを下降させる。これにより、カップＣ内への粉砕氷の投入による飲料Ｗの液面の上昇に応じて粉砕機17の吐出口部19を逃がし、粉砕機17の吐出口部19がカップＣ内の飲料Ｗの液面に接するのを防止する。
【００２９】
粉砕機17の吐出口部19から粉砕氷の吐出が完了したら、カップ搬送装置21の移動機構26によりカップ支持部22とともにカップＣを下降させ、粉砕機17の吐出口部19をカップＣ内から外す。
【００３０】
このように、粉砕氷供給装置11では、粉砕機17の吐出口部19をカップＣ内の所定の進入深度まで進入させた状態で粉砕機17の吐出口部19から粉砕氷を吐出させるので、粉砕氷がカップＣ内に入らずに周囲に飛び散るのを防止でき、機内が汚れたり、カップ支持部22に粉砕氷が堆積してカップＣの支持に影響がでるのを確実に防止できる。
【００３１】
しかも、粉砕機17の吐出口部19から粉砕氷の吐出中には、粉砕氷の吐出量に応じて粉砕機17の吐出口部19の進入深度を浅くするので、カップＣ内への粉砕氷の投入による飲料Ｗの液面の上昇に応じて粉砕機17の吐出口部19を逃がし、粉砕機17の吐出口部19が飲料Ｗの液面に接するのを防止できる。
【００３２】
また、粉砕氷を投入するカップＣの大きさに応じて粉砕機17の吐出口部19の進入深度を可変させるので、カップＣの大きさに最適な吐出口部19の進入深度を設定できる。
【００３３】
また、粉砕機17の吐出口部19に対して、カップＣを支持するカップ支持部22側を上下方向に移動させるので、粉砕機17側を上下方向に移動させる場合に比べて構造を簡単にできるとともに、カップＣの大きさなどに容易に対応できる
そして、粉砕氷供給装置11は、原料供給装置40からカップＣ内に原料を受け入れるためにカップＣを上下方向に移動させるカップ搬送装置21の移動機構26などの構成を、粉砕氷供給動作のためにも兼用しているため、別の駆動機構などを用いずにカップ支持部22の上下方向の移動量を調整設定することだけで容易に対応できる。
【００３４】
なお、粉砕機17の吐出口部19側を上下方向に移動させてもよく、粉砕機17の吐出口部19側とカップ支持部22側の両方をそれぞれ上下に移動させてもよい。
【００３５】
また、粉砕氷供給装置11は、カップ式飲料自動販売機に限らず、給茶機や給水機などの飲料ディスペンサにも適用でき、同様の作用効果が得られる。
【図面の簡単な説明】
【００３６】
【図１】本発明の一実施の形態を示す粉砕氷供給装置の粉砕機の吐出口部をカップ内の所定の進入深度まで進入させた断面図である。
【図２】同上粉砕氷供給装置の粉砕氷の吐出量に応じて粉砕機の吐出口部の進入深度を浅くした断面図である。
【図３】同上粉砕氷供給装置の構成図である。
【図４】同上粉砕氷供給装置のブロック図である。
【図５】同上粉砕氷供給装置を適用するカップ式飲料自動販売機の原料供給装置の構成図である。
【符号の説明】
【００３７】
11    粉砕氷供給装置
12    製氷機
17    粉砕機
19    吐出口部
22    カップ支持部
26    移動機構
31    制御部
Ｃ    カップ
【図１】
2005276130.tif 000003
【図２】
2005276130.tif 000004
【図３】
2005276130.tif 000005
【図４】
2005276130.tif 000006
【図５】
2005276130.tif 000007